(57)【特許請求の範囲】
【請求項１】
身体側表面を形成する透液性トップシートと、外面側に位置する液不透過性シートとの間に吸収要素を介在させてなり、幅方向中央に沿って腹側の上縁から股間部を通り背側の上縁まで延在する吸収性本体部を有する使い捨ておむつにおいて、
前記トップシートにおける前端部、後端部及びこれらの間の中間部のそれぞれに、複数の透過孔が幅方向に間隔を空けて穿孔されており、
前記トップシートの中間部は、最も左側に位置する透過孔の左側から最も右側に位置する透過孔の右側までの幅方向領域が、前記透過孔及びその近傍に接合部分を有しない接合パターンにより裏面側の部材に接合され、
前記トップシートの前端部及び後端部は、最も左側に位置する透過孔の左側から最も右側に位置する透過孔の右側までの幅方向領域が、前記透過孔及びその近傍並びにこれ以外の部分にわたる線状又は点状の溶着部を含む溶着パターンにより裏面側の部材に溶着により接合され、且つ前記透過孔及びその近傍に接着剤による接着部分を有しない、
ことを特徴とする使い捨ておむつ。
【請求項２】
前記裏面側の部材として、前記トップシートの裏面における所定の幅方向範囲に、前端部から後端部まで延在する液透過性の中間シートが貼り付けられており、前記トップシートにおける前記中間シートと重なる部分のうち、前端部、後端部及びこれらの間の中間部のそれぞれに、前記複数の透過孔が幅方向に間隔を空けて穿孔されている、請求項１記載の使い捨ておむつ。
【請求項３】
前記透過孔は、前記トップシートの透過孔形成位置に前後方向に沿うスリットを形成した後に前記トップシートを幅方向に伸張させ、前記スリットを拡大させた状態で前記裏面側の部材に接合されることにより形成されている、請求項１又は２記載の使い捨ておむつ。
【請求項４】
前記トップシートは、最も左側に位置する透過孔の左側及び最も右側に位置する透過孔の右側に、前端から後端まで連続的に裏面側の部材に接合された接合線を有し、前記トップシートの前端部及び後端部は、これら接合線にわたる幅方向領域が、前記透過孔及びその近傍並びにこれ以外の部分にわたる線状又は点状の溶着部を含む溶着パターンにより裏面側の部材に溶着され、且つ前記透過孔及びその近傍に接着剤による接着部分を有していない、請求項１〜３のいずれか１項に記載の使い捨ておむつ。
【請求項５】
前記トップシートの前端部及び後端部における前記溶着パターンは、前記溶着により接合される幅方向領域の幅方向の全ての位置において前後方向と交差する溶着部を有するパターンである、請求項１〜４のいずれか１項に記載の使い捨ておむつ。
【請求項６】
前記トップシートの前端部及び後端部における前記溶着パターンは、溶着部及び非溶着部が交互に列なる点線状の溶着線からなる斜め格子状のパターンであって、各交差位置においていずれか一方の溶着線が他方の溶着線の非溶着部を隙間を空けて通るパターンであり、
前記溶着線の交差角度が８０±３０度であり、各前記溶着線における溶着部の長さをＬとし、前記隙間をｄとしたとき、０．１Ｌ≦ｄ≦０．４Ｌの関係を満足する、
請求項５記載の使い捨ておむつ。
【請求項７】
前記トップシートは、原料繊維の繊度が１．０〜３．０ｄｔｅｘであり且つ繊維目付け１０〜３０ｇ／ｍ2である不織布であり、
前記透過孔の配置は、前記透過孔が前後方向に所定の間隔で並ぶ透過孔列が幅方向に所定の間隔で複数列設けられた配置であり、
前記透過孔の開口面積が０．８〜１８０ｍｍ2であり、前記透過孔列の幅方向間隔が１〜５ｍｍであり且つ前記透過孔列内の透過孔の前後方向間隔が１〜１０ｍｍである、
請求項１〜６のいずれか１項に記載の使い捨ておむつ。
【請求項８】
前記トップシートの前端部における前記溶着パターンを有する領域は、幅方向中央部が股間中央方向に向かって突出する凸形状をなし、前記トップシートの後端部における前記溶着パターンを有する領域は、幅方向両側部が股間中央方向に向かって突出する凹形状をなしている、
請求項１〜７のいずれか１項に記載の使い捨ておむつ。
【発明の詳細な説明】
【技術分野】
【０００１】
本発明は、使い捨ておむつに関するものである。
【背景技術】
【０００２】
一般に、乳児の便は、生後３ヶ月程度で水様便から軟便に変わり、離乳食の始まりにより固形化していくものである。このため、乳児用の使い捨ておむつにおいては、水様便及び軟便（以下、尿を含め水様便等ともいう）の吸収を考慮した様々な技術が提案されている（例えば特許文献１、２参照）。中でも、身体側表面を形成する透液性トップシートに便透過用の透過孔を穿孔する技術は、水様便等の吸収に有効であることが判っている。
トップシートは裏面側の部材に対してホットメルト接着剤や溶着により接合されるのが一般的である（特許文献３、４参照）。トップシートに透過孔を有する場合、透過孔の潰れ（閉鎖）防止のみを考慮すればトップシートの固定部分は多い方が良いが、透過孔からの水様便等の受入れ性能を高めるためには、トップシートの固定部分を少なくし、トップシートと裏面側部材との隙間を確保するのが望ましい。
【特許文献１】特開２００５−２４６８１１号公報
【特許文献２】特許２８１２３４０号公報
【特許文献３】特開２００６−１４９４５７号公報
【特許文献４】特開２００６−２３９２９０号公報
【発明の開示】
【発明が解決しようとする課題】
【０００３】
しかしながら、トップシートの固定部分を一様に減少させると、トップシートとその裏面側部との隙間が大きくなり、この大きな隙間がおむつの前後端に通じるため、トップシートの透過孔に入った水様便等がトップシートとその裏面側部材との隙間を通じておむつ前後端から漏れ出てしまうおそれがある。
そこで、本発明の主たる課題は、透過孔による水様便等の受入れ性能を損ねずに、このようなおむつ前後端からの漏れを防止することにある。
【課題を解決するための手段】
【０００４】
上記課題を解決した本発明は次記のとおりである。
＜請求項１記載の発明＞
身体側表面を形成する透液性トップシートと、外面側に位置する液不透過性シートとの間に吸収要素を介在させてなり、幅方向中央に沿って腹側の上縁から股間部を通り背側の上縁まで延在する吸収性本体部を有する使い捨ておむつにおいて、
前記トップシートにおける前端部、後端部及びこれらの間の中間部のそれぞれに、複数の透過孔が幅方向に間隔を空けて穿孔されており、
前記トップシートの中間部は、最も左側に位置する透過孔の左側から最も右側に位置する透過孔の右側までの幅方向領域が、前記透過孔及びその近傍に接合部分を有しない接合パターンにより裏面側の部材に接合され、
前記トップシートの前端部及び後端部は、最も左側に位置する透過孔の左側から最も右側に位置する透過孔の右側までの幅方向領域が、前記透過孔及びその近傍並びにこれ以外の部分にわたる線状又は点状の溶着部を含む溶着パターンにより裏面側の部材に溶着により接合され、且つ前記透過孔及びその近傍に接着剤による接着部分を有しない、
ことを特徴とする使い捨ておむつ。
【０００５】
（作用効果）
本発明においては、トップシートの前後方向中間部における所定の幅方向領域は、透過孔及びその近傍に接合部分を有しない接合パターンにより裏面側の部材に接合されているため、透過孔の近傍ではトップシートとその裏面側の部材との間に水様便等を受け入れるための隙間が確保される。よって、水様便等の受入れ性能を損ねることがない。しかも、この接合に接着剤を用いても、接着剤が透過孔の近傍には無いため、接着剤が透過孔を介して肌に付着するといった事態が発生し難い。一方、トップシートの前後端部における所定の幅方向領域は、透過孔及びその近傍並びにこれ以外の部分を含む溶着パターンにより前後方向中間部と比べて隙間が少なく、密に、裏面側の部材に接合されるため、トップシートの透過孔に入った水様便等がトップシートとその裏面側部材との隙間を通じておむつ前後端へ向かって移動したとしても、この接合部で遮断され、おむつ前後端から漏れが防止される。しかも、この部分は透過孔及びその近傍に接着剤による接着部分を有しないため、透過孔を介して接着剤が肌に付着するおそれもない。
【０００６】
＜請求項２記載の発明＞
前記裏面側の部材として、前記トップシートの裏面における所定の幅方向範囲に、前端部から後端部まで延在する液透過性の中間シートが貼り付けられており、前記トップシートにおける前記中間シートと重なる部分のうち、前端部、後端部及びこれらの間の中間部のそれぞれに、前記複数の透過孔が幅方向に間隔を空けて穿孔されている、請求項１記載の使い捨ておむつ。
【０００７】
（作用効果）
本発明は、本項記載のようなトップシートと中間シートとを貼り合わせた構造を有するおむつに適用するのが望ましい。
【０００８】
＜請求項３記載の発明＞
前記透過孔は、前記トップシートの透過孔形成位置に前後方向に沿うスリットを形成した後に前記トップシートを幅方向に伸張させ、前記スリットを拡大させた状態で前記裏面側の部材に接合されることにより形成されている、請求項１又は２記載の使い捨ておむつ。
【０００９】
（作用効果）
このような方法により透過孔を形成する場合、透過孔が熱処理により溶融固化して硬化することがなく、繊維間隔が広げられることにより、柔らかくかつ液透過性に優れる。よって、本発明はこのような透過孔を形成する場合に好適である。
【００１０】
＜請求項４記載の発明＞
前記トップシートは、最も左側に位置する透過孔の左側及び最も右側に位置する透過孔の右側に、前端から後端まで連続的に裏面側の部材に接合された接合線を有し、前記トップシートの前端部及び後端部は、これら接合線にわたる幅方向領域が、前記透過孔及びその近傍並びにこれ以外の部分にわたる線状又は点状の溶着部を含む溶着パターンにより裏面側の部材に溶着され、且つ前記透過孔及びその近傍に接着剤による接着部分を有していない、請求項１〜３のいずれか１項に記載の使い捨ておむつ。
【００１１】
（作用効果）
この場合、トップシートとその裏面側部材との隙間が、透過孔を有する部分の幅方向両側（透過孔を有しない部分である）では連続的な接合線により密着され、トップシートの前後端部ではこれら接合線にわたる溶着パターンにより密着される。よって、トップシートとその裏面側部材との隙間に入った水様便等が当該隙間内を拡散したとしても、これらの密着部分により遮断され、おむつの前後端等からの漏れが効果的に防止される。
【００１２】
＜請求項５記載の発明＞
前記トップシートの前端部及び後端部における前記溶着パターンは、前記溶着により接合される幅方向領域の幅方向の全ての位置において前後方向と交差する溶着部を有するパターンである、請求項１〜４のいずれか１項に記載の使い捨ておむつ。
【００１３】
（作用効果）
このような溶着パターンを採用することにより、トップシートとその裏面側部材との隙間を通じておむつ前後端へ移動する水様便等をより確実に遮断することができる。
【００１４】
＜請求項６記載の発明＞
前記トップシートの前端部及び後端部における前記溶着パターンは、溶着部及び非溶着部が交互に列なる点線状の溶着線からなる斜め格子状のパターンであって、各交差位置においていずれか一方の溶着線が他方の溶着線の非溶着部を隙間を空けて通るパターンであり、
前記溶着線の交差角度が９０±１５度であり、各前記溶着線における溶着部の長さをＬとし、前記隙間をｄとしたとき、０．１Ｌ≦ｄ≦０．４Ｌの関係を満足する、
請求項５記載の使い捨ておむつ。
【００１５】
（作用効果）
トップシートとその裏面側部材との隙間を通じておむつ前後端へ移動する水様便等を遮断する場合、溶着部を幅方向に沿って連続させることもできるが、溶着部の連続部分が長くなると当該部分の柔軟性が低下するため好ましくない。これに対して、本項記載のような溶着パターンを採用すると、溶着線が点線状であり、かつ各溶着腺の溶着部が他の溶着線と連続しないため、柔軟性の低下が殆ど無いものでありながら、前後方向の水様便等の移動に対しては十分な遮断効果を発揮できる。
【００１６】
＜請求項７記載の発明＞
前記トップシートは、原料繊維の繊度が１．０〜３．０ｄｔｅｘであり且つ繊維目付け１０〜３０ｇ／ｍ2である不織布であり、
前記透過孔の配置は、前記透過孔が前後方向に所定の間隔で並ぶ透過孔列が幅方向に所定の間隔で複数列設けられた配置であり、
前記透過孔の開口面積が０．８〜１８０ｍｍ2であり、前記透過孔列の幅方向間隔が１〜５ｍｍであり且つ前記透過孔列内の透過孔の前後方向間隔が１〜１０ｍｍである、
請求項１〜６のいずれか１項に記載の使い捨ておむつ。
【００１７】
（作用効果）
トップシートとしては、肌触りや強度等の観点から本項記載の程度の不織布が好適である。この場合、透過孔の開口面積が繊維間隙よりも大きくないと透過孔を設ける意義がなく、また透過孔の開口面積が繊維間隙より大きいだけでは水様便等の取り込み性能が不十分になるおそれがある。さらに、開口面積が大きくても数が少ない等、疎らに配置されていると水様便等の捕獲性能に乏しいものとなる。よって、透過孔の開口面積及び配置間隔は本項記載の範囲内であるのが好ましい。しかし、このような透過孔の面積及び配置間隔を採用し、透過孔からの水様便等の受入れ性能を高めるために、トップシートの固定部分を少なくし、トップシートと裏面側部材との隙間を確保しようとすると、トップシートとその裏面側部との隙間が顕著に大きくなる。よって、本発明はこのような場合に好適である。
【００１８】
＜請求項８記載の発明＞
前記トップシートの前端部における前記溶着パターンを有する領域は、幅方向中央部が股間中央方向に向かって突出する凸形状をなし、前記トップシートの後端部における前記溶着パターンを有する領域は、幅方向両側部が股間中央方向に向かって突出する凹形状をなしている、
請求項１〜７のいずれか１項に記載の使い捨ておむつ。
【００１９】
（作用効果）
本発明においては、前後方向中間部の溶着パターンを有さない領域においては、水様便の吸収性に優れる。一方、前後端部の溶着パターンを有する領域においては、溶着パターンがおむつ前後端からの漏れを防止するが、この領域ではトップシートとその裏面側の部材が密に接しているだけでなく、更にその裏面側の部材、例えば吸収体とも密接しているため、トップシートとその裏面側の部材が保水する液分は速やかに吸収体に吸収され、トップシートからの液分の逆戻りが少ないという効果も得られる。従って、本項記載のように構成されていると、水様便の吸収に優れ、かつ尿の逆戻りの少ない構造とすることができる。
【発明の効果】
【００２０】
以上のとおり、本発明によれば、透過孔による水様便等の受入れ性能を損ねない、装着者の肌への接着剤の付着を防止できる、水様便等がトップシートとその裏面側部材との隙間を通じておむつ前後端から漏れ出る事態を防止できる、等の利点がもたらされる。
【発明を実施するための最良の形態】
【００２１】
水様便や軟便の頃の乳児を対象とした使い捨ておむつとしては、いわゆるテープ式おむつが広く用いられているため、以下ではテープ式おむつの例を引いて説明するが、本発明はトップシートに特徴を有するものであり、パンツ型使い捨ておむつ等、他の形態の使い捨ておむつにも適用できることはいうまでもない。また、本発明は大人用使い捨ておむつにも当然適用できるものである。
【００２２】
図１及び図２は本発明に係るテープ式使い捨ておむつの一例を示している。図２は図１におけるＢ−Ｂ線矢視図である。このテープ式使い捨ておむつは、幅方向中央に沿って腹側Ｆの上縁Ｆ１から股間部Ｃを通り背側Ｂの上縁Ｂ１まで延在する、排泄物を吸収保持する吸収性本体部１０と、腹側Ｆの上縁Ｆ１側部分の両側において、それぞれ股間部Ｃよりも幅方向外側まで延在する一対の腹側サイドフラップ部ＦＦ，ＦＦと、背側Ｂの上縁Ｂ１側部分の両側において、それぞれ股間部Ｃよりも幅方向外側まで延在する一対の背側サイドフラップ部ＢＦ，ＢＦとを備えている。また、背側サイドフラップ部ＢＦ，ＢＦには、係止部材としてのファスニング片１３０がそれぞれ設けられている。
【００２３】
より詳細には、吸収性本体部１０ならびに背側および腹側の各サイドフラップ部ＢＦ，ＦＦの外面全体が外装シート１２により形成されている。特に、吸収性本体部１０においては、外装シート１２の内面側に液不透過性シート１１がホットメルト接着剤等の接着剤により固定され、さらにこの液不透過性シート１１の内面側に吸収要素５０、中間シート４０、およびトップシート３０がこの順に積層されている。トップシート３０および液不透過性シート１１は、図示例では腹側上縁Ｆ１から背側上縁Ｂ１まで延在する長方形であり、吸収要素５０よりも前後方向および幅方向において若干大きい寸法を有しており、液不透過性シート１１がトップシート３０よりも若干幅広に形成されている。トップシート３０における吸収要素５０の側縁より食み出る周縁部と、液不透過性シート１１における吸収要素５０の側縁より食み出る周縁部とがホットメルト接着剤などにより固着されるとともに、トップシート３０の裏面には中間シート４０が固着されている。
【００２４】
さらに、この吸収性本体部１０の幅方向両側には、装着者の肌側に突出（起立）するバリヤーカフス６０，６０が設けられており、このバリヤーカフス６０，６０を形成するバリヤーシート６４，６４が、背側および腹側の各サイドフラップ部ＢＦ，ＦＦの内面を含め、吸収性本体部１０の幅方向外側の全体にわたり延在されている。
【００２５】
以下、各部の素材および特徴部分について順に説明する
（外装シート）
外装シート１２は吸収要素５０を支持し、着用者に装着するための部分である。外装シート１２は、両側部の前後方向中央部が括れた砂時計形状とされており、ここが着用者の脚を入れる部位となる。
【００２６】
外装シート１２としては特に限定されないが不織布が好適である。不織布の種類は特に限定されないが、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でＳＭＳ不織布やＳＭＭＳ不織布等の積層不織布が好適である。不織布は一枚で使用する他、複数枚重ねて使用することもできる。後者の場合、不織布１２相互をホットメルト接着剤等により接着するのが好ましい。
【００２７】
（トップシート）
トップシート３０は液透過性を有し、セカンドシートと溶着可能なものであれば足りるが、肌触り等の観点から不織布が好適に用いられる。トップシート３０に用いる不織布としては、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。特に、原料繊維の繊度が１．０〜３．０ｄｔｅｘであり且つ繊維目付け１０〜３０ｇ／ｍ2であるエアスルー不織布や、スパンボンド不織布、ポイントボンド不織布、ＳＭＳ不織布が好適である。
【００２８】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００２９】
（トップシートの透過孔）
トップシート３０における前端部ＥＰ、後端部ＥＰ及びこれらの間の中間部ＭＰのそれぞれに、複数の透過孔Ｈが幅方向に間隔を空けて穿孔される。この条件を満たす限り、透過孔Ｈの配置は適宜定めることができ、トップシート３０全体あるいはトップシート３０の表面露出部分（バリヤーカフスの起立部の基端間の部分）全体にわたり多数の透過孔Ｈが配列形成されていても、また、表面露出部分の幅方向中央部等、幅方向一部にのみ設けられていても良い。
【００３０】
図示例は、透過孔Ｈの配置の一つの好ましい形態を示している。すなわち、トップシート３０は、背側における臀裂、臀部の頂部との対応関係を基準にすれば次の各領域を有するものである。すなわち、トップシート３０は、臀裂と対応する部分を通り前端Ｆ１から後端Ｂ１まで延在する幅方向中央領域３１と、幅方向中央領域３１の左側及び右側に位置し、それぞれ左側の臀部の頂部及び右側の臀部の頂部と対応する部分を通り前端Ｆ１から後端Ｂ１まで延在する左側中間領域及び右側中間領域３２，３２と、左側中間領域３２の左側及び右側中間領域３２の右側に沿ってそれぞれ前端Ｆ１から後端Ｂ１まで延在する左側領域及び右側領域３３，３３とを有する。さらに、図示形態では、左側領域の左側及び右側領域の右側に、トップシート３０をその裏面側部材、図示形態の場合は中間シート４０の幅方向両端部及びその幅方向両側に食み出る液不透過性シート１１に接合固定するための部分を含む側縁部領域３４，３４を有しており、左側及び右側領域３３は吸収要素５０上に位置する領域となっている。
【００３１】
具体的に乳幼児用のおむつにおいては、幅方向中央領域３１の幅は２０〜４０ｍｍ程度、左側中間領域及び右側中間領域３２の幅は１５〜２５ｍｍ程度、左側領域及び右側領域３３の幅は１０〜２０ｍｍ程度とするのが適当である。
【００３２】
そして特徴的には、図３にも示すように、トップシート３０における幅方向中央領域３１、左側及び右側領域３３のそれぞれに、全体にわたり水様便等の固形分を裏面側に透過させるための透過孔Ｈが所定の間隔で多数穿孔されるとともに、左側及び右側中間領域３２，３２には、全体にわたり透過孔Ｈが穿孔されていない。従って、これら透過孔Ｈの穿孔範囲及び非穿孔範囲の幅方向配置が、少なくとも臀裂、臀部の頂部及びその幅方向外側と対応する部分に適用されるよう、幅方向中央領域３１、左側及び右側領域３３の範囲は定められている。なお、臀裂、臀部の頂部及びその幅方向外側と対応する部分を含んでいれば、各領域３１〜３３の前後方向の一部のみがこのような穿孔範囲及び非穿孔範囲の幅方向配置を有していても良く、例えば背側Ｂのみにこのようなパターンを採用することも可能である。
【００３３】
また、左側及び右側領域３３，３３の幅が幅方向中央領域３１の幅より狭いと、装着者が横向きに寝転んだ際に臀部に接する、左側または右側領域３３の透過孔Ｈから逆戻りして臀部に付着する排泄物の量が少ないため好ましい。
【００３４】
透過孔Ｈの開口形状は、円形、楕円形、小判形、笹葉形、多角形等、適宜の形状とすることができるが、特に前後方向長さＨＬが４〜１５ｍｍ、特に６〜８ｍｍであり且つ幅方向長さＨＷが前後方向長さＨＬよりも短い細長形状（楕円形、小判形、笹葉形）であるのが好ましい。
【００３５】
透過孔Ｈの開口面積は適宜定めることができるが、０．８〜１８０ｍｍ2とするのが好ましく、５〜８０ｍｍ2とするのが特に好ましく、１０〜３０ｍｍ2とするのが最も好ましい。開口面積が小さすぎると固形分の取り込み性能が低下し、また大きすぎると透過孔Ｈを介して逆戻りし易くなる。
【００３６】
また、透過孔Ｈの数は適宜定めることができるが、図示のように透過孔Ｈの配置が、透過孔Ｈが前後方向に所定の間隔で並ぶ透過孔列が幅方向に所定の間隔で設けられた配置であって、且つ上述した透過孔Ｈの開口面積の場合、透過孔Ｈの列間の幅方向間隔ＤＷが１〜５ｍｍ、且つ列内の透過孔Ｈの前後方向間隔ＤＬが１〜１０ｍｍとなるように、各領域３１〜３３における数及び配置をそれぞれ定めるのが好ましい。透過孔Ｈの間隔が広すぎると固形分が捕獲されずに移動し易くなり、狭すぎると透過孔の数が多くなりすぎ、透過孔Ｈを介して固形分が肌に接しやすくなる。なお、透過孔Ｈの配置は、千鳥状配置（図示例）としたり、格子状（行列状）配置としたりできる他、他の規則的あるいは不規則な配置を採用することもできる。
【００３７】
（中間シート）
トップシート３０を透過した排泄物を吸収体へ移動させ、逆戻りを防ぐために、トップシート３０と吸収要素５０との間に中間シート（セカンドシートもいわれる）４０が設けられている。この中間シート４０は、排泄物を速やかに吸収体へ移行させて吸収体による吸収性能を高めるばかりでなく、吸収した排泄物の吸収体からの逆戻りを防止し、トップシート３０表面を肌触りを良くするものである。中間シート４０は省略することもできる。
【００３８】
中間シート４０としては、トップシート３０と同様の素材を用いることができるが、特に嵩高で液の透過性に優れるエアスルー不織布が好ましい。図示形態のように、本発明の裏面側部材が中間シート４０である場合、中間シート４０としてはヒートエンボスや超音波溶着によりトップシート３０と溶着可能な素材、好ましくはトップシート３０と同程度の融点をもつ素材が用いられる。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
【００３９】
中間シート４０は、透過孔Ｈを通過した便を確実に捕獲できるよう、透過孔Ｈの形成範囲全体を含む形状であることが好ましい。図示の形態の中間シート４０は、吸収要素５０の幅より短く中央に配置されているが、全幅にわたって設けてもよい。図示例のように中間シート４０は、トップシート３０と同様におむつの前端から後端まで延在するのが好ましいが、吸収要素５０の前端から後端まで延在させても良く、また股間部を中心にした短い長さ範囲であっても良い。
【００４０】
（バリヤーカフス）
トップシート３０上を伝わって横方向に移動する尿や軟便を阻止し、横漏れを防止するために、製品の両側に、使用面側に突出（起立）するバリヤーカフス６０，６０を設けるのは好ましい。
【００４１】
このバリヤーカフス６０は、実質的に幅方向に連続するバリヤーシート６４と、このバリヤーシート６４に前後方向に沿って伸張状態で固定された細長状弾性伸縮部材６２とにより構成されている。このバリヤーシート６４としては撥水性不織布を用いることができ、また弾性伸縮部材６２としては糸ゴム等を用いることができる。弾性伸縮部材６２は、図１及び図２に示すように各複数本設ける他、各１本設けることができる。
【００４２】
バリヤーシート６４の内面は、トップシート３０の側部上に幅方向の固着始端を有し、この固着始端から幅方向外側の部分は、液不透過性シート１１の側部およびその幅方向外側に位置する外装シート１２の側部にホットメルト接着剤などにより固着されている。この固着部分のうち固着始端近傍において、バリヤーシート６４と外装シート１２とが対向する部分のシート間に、前後方向に沿って糸ゴム等の弾性伸縮部材６６がそれぞれ設けられている。
【００４３】
脚周りにおいては、バリヤーカフス６０の固着始端より幅方向内側は、製品前後方向両端部ではトップシート３０上に固定されているものの、その間の部分は非固定の自由部分であり、この自由部分が糸ゴム６２の収縮力により起立するようになる。おむつの、装着時には、おむつが舟形に体に装着されるので、そして糸ゴム６２の収縮力が作用するので、糸ゴム６２の収縮力によりバリヤーカフス６０が起立して脚周りに密着する。その結果、脚周りからのいわゆる横漏れが防止される。
【００４４】
（吸収要素）
吸収要素５０は、尿や軟便などの液を吸収保持する部分である。吸収要素５０は、吸収体５６と、この吸収体５６の少なくとも裏面及び側面を包む包被シート５８とを有している。包被シート５８は省略することもできる。さらに、図示形態では、吸収体５６と包被シート５８の裏面側部位（下側の部分）との間に保持シート８０が設けられているが、この保持シート８０は省略することもできる。吸収要素５０は、その裏面においてホットメルト接着剤等の接着剤を介して液不透過性シート１１の内面に接着することができる。
【００４５】
（吸収体）
吸収体５６は、繊維５２，５２の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００４６】
（高吸収性ポリマー粒子）
吸収体５６は、図２に示すように高吸収性ポリマー粒子５４，５４…を含むのが好ましく、特に、少なくとも液受け入れ領域において、繊維５２，５２…の集合体に対して高吸収性ポリマー粒子（ＳＡＰ粒子）が実質的に厚み方向全体に分散されているものが望ましい。
【００４７】
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維５２，５２…の集合体中に侵入しないでその表面に残存している形態や、一部のＳＡＰ粒子が繊維５２，５２…の集合体を通り抜けて包被シート５８上にある形態や、保持シート８０上にある形態も排除されるものではない。
【００４８】
高吸収性ポリマー粒子５４とは、「粒子」以外に「粉体」も含む。高吸収性ポリマー粒子５４の粒径は、この種の吸収性物品に使用されるものをそのまま使用でき、１０００μｍ以下、特に１５０〜４００μｍのものが望ましい。高吸収性ポリマー粒子５４の材料としては、特に限定無く用いることができるが、吸水量が４０ｇ／ｇ以上のものが好適である。高吸収性ポリマー粒子５４としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子５４の形状としては、通常用いられる粉粒体状のものが好適であるが、他の形状のものも用いることができる。
【００４９】
高吸収性ポリマー粒子５４としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００５０】
高吸収性ポリマー粒子５４の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子５４の過剰によりジャリジャリした違和感を与えるようになる。
【００５１】
（包被シート）
包被シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。目付けは、５〜４０ｇ／ｍ2、特に１０〜３０ｇ／ｍ2のものが望ましい。
【００５２】
この包被シート５８は、図２のように、連続繊維５２，５２…の集合体及び高吸収性ポリマー粒子５４，５４…の層全体を包む形態のほか、その層の裏面及び側面のみを包被するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包被シートの構成要素となる）。必要ならば、連続繊維５２，５２…の集合体及び高吸収性ポリマー粒子５４，５４…の層を、上下２層のシートで挟む形態や下面のみに配置する形態でもよいが、高吸収性ポリマー粒子の移動を防止でき難いので望ましい形態ではない。
【００５３】
（保持シート）
繊維５２にフィラメント集合体を用いる場合は、保持シート８０を設けるのが好ましい。保持シート８０を設ける場合、保持シート８０と吸収体５６上との間には、高吸収性ポリマー粒子５４をその散布などにより介在させることができる。高吸収性ポリマー粒子５４は、フィラメント集合体への供給時又はその後の工程、あるいは消費者が使用するまでの流通過程で、フィラメント集合体を通り抜けることがある。フィラメント集合体を通り抜けた高吸収性ポリマー粒子群の凹凸は、消費者が使用する際に手で触ったときジャリジャリした違和感を与える。
【００５４】
この保持シート８０は、ティッシュペーパ（クレープ紙）などの包被シート５８のみでは足りないコシを補強すると共に、消費者が使用する際に手で触ったときのジャリジャリした違和感を軽減又は防止する役割を果たす。
【００５５】
保持シート８０の素材は、特に限定されず、高吸収性ポリマー５４の保持性能を有するものであれば足りる。具体的には、例えば、不織布、捲縮パルプ、低吸収性のコットン繊維（例えば、未脱脂のコットン繊維、脱脂されたコットン繊維、レーヨン繊維を撥水剤や疎水化剤で処理したものなど。）、ポリエチレン繊維、ポリエステル繊維、アクリル繊維、ポリプロピレン繊維、絹、綿、麻、ナイロン、ポリウレタン、アセテート繊維等を例示することができる。
【００５６】
保持シート８０としては、厚みが高吸収性ポリマー粒子の粒径よりも大きいものが好ましい。また、保持シート８０の目付けは１０〜６０ｇ／ｍ2、特に２０〜４０ｇ／ｍ2であるのが好ましい。
【００５７】
特に、保持シート８０は、ＫＥＳ試験に基づく圧縮エネルギーが０．０１〜１０．００ｇｆｃｍ／ｃｍ2、好ましくは、０．０１〜１．００ｇｆｃｍ／ｃｍ2で、かつ圧縮レジリエンスが１０〜１００％、好ましくは、７０〜１００％の不織布であるとよい。
【００５８】
また、抜け出た高吸収性ポリマー５４は、保持シート６０によって保持され、包被シート５８上を移動することがないため、吸収能力の偏在が生じ難くなる。特に、保持シート８０上を高吸収性ポリマー粒子５４が移動を防止するために、予め粘着性を有するホットメルト接着剤などを保持シート８０上に塗布することができる。また、保持シート８０の上面（使用面側に向かう面）を粗面とすることで、保持シート８０上を高吸収性ポリマー粒子５４が移動を防止するようにしてもよい。このための粗面化又は毛羽立ち手段としては、不織布の製造時におけるネット面でない非ネット面とする、マーブル加工を行う、ニードルパンチにより加工する、ブラシッング加工するなどを挙げることができる。
【００５９】
保持シート８０は、図２に示すように吸収体５６の下方にのみ設けても、また図示しないが、吸収体５６の側面を通り吸収体５６の上面にまで巻き上げて延在させてもよい。また、保持シート８０を複数枚重ねて使用することも可能である。
【００６０】
上記例は、吸収体５６と包被シート５８の裏面側部位との間に保持シート５８を設ける例であるが、保持シートは、包被シート５８より裏面側であってもよく（その形態は図示していない）、要は、吸収体５６に対して裏面側に保持シートを設ければ、製品の裏面から触る場合におけるジャリジャリした違和感を軽減させるあるいは生じさせないものとなる。
【００６１】
（ファスニング片）
ファスニング片１３０は、プラスチック、ポリラミ不織布、紙製などのファスニング基材１３０Ｃの基部がおむつに接合されており、その先端側部分に腹側に対する係止部として、メカニカルファスナーのフック要素１３０Ａが設けられている。フック要素１３０Ａはファスニング基材１３０Ｃに接着剤により剥離不能に接合されている。フック要素１３０Ａは、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。フック要素１３０Ａに代えて、ファスニング片１３０の係止部として粘着材層を設けることもできる。
【００６２】
おむつの装着に際しては、背側サイドフラップ部ＢＦを腹側サイドフラップ部ＦＦの外側に重ねた状態で、ファスニング片を腹側Ｆ外面の適所に係止する。ファスニング片１３０の係止箇所の位置及び寸法は任意に定めることができる。通常の場合、係止箇所は、高さ２０〜８０ｍｍ、幅１５０〜３００ｍｍの矩形範囲とし、その上端縁と腹側上縁Ｆ１との高さ方向離間距離を０〜６０ｍｍ、特に２０〜５０ｍｍとし、かつ製品の幅方向中央とするのが好ましい。
【００６３】
腹側Ｆにおけるファスニング片１３０の係止箇所には、係止を容易にするためにターゲットテープ７４を設けるのが好ましい。ターゲットテープ７４は、係止部がフック要素１３０Ａの場合、フック要素の係合突起が絡まるようなループ糸が表面に多数設けられたものを用いることができ、また粘着材層の場合には粘着性に富むような表面が平滑なフィルム状のものを用いることができる。
【００６４】
また、腹側Ｆにおけるファスニング片１３０の係止箇所が不織布からなる場合、例えば図示形態の外装シート１２が不織布からなる場合であって、ファスニング片１３０の係止部がフック要素１３０Ａの場合には、ターゲットテープ７４を省略し、フック要素１３０Ａを外装シート１２の不織布に絡ませて係止することもできる。
【００６５】
（トップシートの固定）
トップシート３０はその裏面側の部材、図示形態の場合、最も左側に位置する透過孔Ｈの左側から最も右側に位置する透過孔Ｈの右側までの幅方向領域Ｊ（以下、単に主接合領域ともいう）では中間シート４０に接合されており、中間シート４０の幅方向両側では液不透過性シート１１に接合されている。特徴的には、トップシート３０の前後方向中間部ＭＰでは、主接合領域Ｊが透過孔Ｈ及びその近傍に接合部分を有しない接合パターンにより中間シート４０に接合される一方で、トップシート３０の前端部及び後端部ＥＰ，ＥＰでは、主接合領域Ｊが透過孔Ｈ及びその近傍並びにこれ以外の部分を含む溶着パターンにより中間シート４０に溶着により接合され、且つ透過孔Ｈ及びその近傍に接着剤による接着部分を有していない構造となっている。
【００６６】
より詳細には、トップシート３０の主接合領域Ｊのうち、透過孔Ｈを有しない左側及び右側中間領域３２，３２、及び側縁部領域３４では、各々の幅方向中間部（幅方向両端部は透過孔Ｈの近傍に位置する）が、前後方向全体にわたり連続線状に塗布されたホットメルト接着剤等の接着剤ｇを介して中間シート４０に接合されている。この接合部分は以下、主接合部分ともいう。主接合部分と透過孔Ｈとの幅方向の離間距離ｘは２ｍｍ以上であるのが好ましい。主接合部分は、接着剤だけでなく、ヒートシールやヒートエンボス、超音波溶着等の溶着手段により行うこともできる。また、主接合部分は、前後方向に連続している必要はなく、間欠的（点線状）に設けられていても良い。主接合部分は少なくとも中間部ＭＰに設けられていれば良い。主接合部分の接合は、トップシートの穿孔をおむつ製造ラインにて行う場合は、穿孔の前後いずれの段階で接合してもよく、接着剤ｇにて行う場合は、トップシート３０側、中間シート４０側のいずれに塗布してもよい。
【００６７】
このような主接合部分が設けられていると、トップシート３０における各透過孔群を有する部分は、その両側の主接合部分により幅が固定され、透過孔Ｈの潰れが抑制されるとともに、それら主接合部分間の部分では透過孔Ｈを有する部分と裏面側の部材（図示形態の場合、中間シート４０）との間に隙間が形成されるため、透過孔Ｈを介して水様便等が取り込まれやすくなる。よって、水様便等の受入れ性能を損ねることがない。しかも、この主接合部分の接合に接着剤ｇを用いても、接着剤ｇが透過孔Ｈの近傍には無いため、接着剤ｇが透過孔Ｈを介して肌に付着するといった事態が発生し難い。
【００６８】
一方、トップシート３０の前後端部ＥＰ，ＥＰにおける主接合領域Ｊは、透過孔Ｈ及びその近傍並びにこれ以外の部分を含む溶着パターンにより、前後方向中間部ＭＰと比べて隙間が少なく、密に、中間シート４０と接合される。符号７０がこの溶着接合部を示している。このような構造を有することにより、トップシート３０の透過孔に入った水様便等がトップシート３０と中間シート４０との隙間を通じておむつ前後端へ向かって移動したとしても、前後端部ＥＰ，ＥＰにおける溶着接合部７０で遮断され、おむつ前後端からの漏れが防止される。しかも、前後端部ＥＰ，ＥＰでは透過孔Ｈ及びその近傍に接着剤による接着部分を有しないため、透過孔Ｈを介して接着剤が肌に付着するおそれもない。また、前後端部ＥＰ，ＥＰではトップシート３０とその裏面側の部材が（図示形態では中間シート４０）密に接合しているだけでなく、その下側の吸収要素５０とも密接しているため、トップシート３０とその裏面側の部材が保水する液分は、速やかに吸収要素５０に吸収される。従って、トップシート３０からの液分の逆戻りが少ない。
【００６９】
各部の寸法は適宜定めれば良いが、前後端部ＥＰ，ＥＰの前後方向長さ（溶着領域の前後方向長さ、溶着領域が方形以外の形状である場合は溶着領域の前後方向長さが最も長い部分の長さＹｍａｘ）はそれぞれおむつ全長の３〜３５％、中間部ＭＰの長さはおむつ全長の３０〜９４％程度とするのが適当であり、前端部及び後端部ＥＰ，ＥＰの前後方向長さは同じとすることも、また異ならしめることもできる。特に、排便口より遠く排尿口に近い前端部では前後方向長さＹｍａｘを長く（好ましくはおむつ全長の２０〜３５％）、排便口に近く排尿口に遠い後端部では前後方向長さＹｍａｘを短く（好ましくはおむつ全長の３〜２０％）すると、水様便の吸収に優れ、かつ尿の逆戻りの少ない構造とすることができるため、好ましい。
【００７０】
また、主接合領域Ｊの幅（溶着領域の幅）は、図示形態のように、最も左側に位置する透過孔Ｈの左側及び最も右側に位置する透過孔Ｈの右側に前端から後端まで連続的に裏面側の部材に接合された主接合部（接着剤ｇで接合された接合線）を有する場合は、これら主接合部に跨るように定めるのが好ましい。さらに、図７及び図８に示すように、主接合領域Ｊを両バリヤーカフス６０の起立基端（固着始端）より幅方向外側（又は同位置でも良い）まで延長し、両バリヤーカフス６０の起立基端（固着始端）に跨る領域としても良い。溶着接合部７０による溶着領域の形状は、図４に示すような矩形とする他、図６（ａ）に示すように股間側縁９０を円弧等の曲線状としたり、図６（ｂ）に示すように弦月状としたりする等、適宜の形状を採用することができる。また、これ以外の曲線形状を採用することもでき、例えば図６（ｃ）に示すように複数の変曲点を有する階段形状等の屈曲線状にしたり、図示しないがΩ形状にしたりすることもできる。さらに、幅方向中央部が股間中央方向に向かって突出する凸形状だけでなく、図６（ｄ）に示すように、幅方向側部が股間中央方向に向かって突出する凹形状（図示のような弧状に限られず、階段状等にしても良い）であってもよい。そして、前述のように水様便の吸収に優れ、かつ尿の逆戻りの少ない構造とするため、前端部では前記凸形状であるのが好ましく、後端部では前記凹形状であるのが好ましい。特に、前述のように透過孔Ｈが幅方向中央領域３１、左側及び右側領域３３に分かれて形成されている場合においては、凸形状あるいは凹形状の接合領域形状と組み合わせ、凸形状の突出部が幅方向中央領域３１と重なるように、あるいは凹形状の突出部が左側及び右側領域３３と重なるように配置されているのが好ましい。図６に示される例のように、溶着領域が方形以外の形状である場合、溶着領域の前後方向長さが最も短い部分の長さＹｍｉｎは図６（ｂ）に示すように０とすることもできるが、端縁を確実に封止するためには少なくとも３ｍｍ程度あるのが好ましく、図６（ａ）、（ｃ）及び（ｄ）に示すようにＹｍａｘの２０〜６０％程度とするのが好ましい。
【００７１】
前後端部ＥＰ，ＥＰにおける溶着パターンは、前後方向中間部ＭＰよりも密な接合が可能である限り特に限定されないが、図４及び図５（ａ）に示すように、主接合領域Ｊの幅方向の全ての位置において前後方向と交差する溶着部Ｍを有するパターンであると、トップシート３０と中間シート４０との隙間を通じておむつ前後端へ移動する水様便等をより確実に遮断することができるためが好ましい。
【００７２】
特に図４に示す例は、溶着部Ｍ及び非溶着部Ｎが交互に列なる点線状の溶着線からなる斜め格子状のパターンであって、各交差位置においていずれか一方の溶着線が他方の溶着線の非溶着部Ｎを隙間を空けて通るパターンである。また、このパターンでは、溶着線の交差角度θが８０±３０度であるのが好ましく、各溶着線における溶着部Ｍの長さをＬとし、隙間をｄとしたとき、０．１Ｌ≦ｄ≦０．４Ｌの関係を満足するのが好ましい。
【００７３】
もちろん、図５（ａ）に示すように、連続線状の溶着部Ｍからなる斜め格子状の溶着パターンも採用することができる。この場合、幅方向に溶着部Ｍが連続するため水様便等の遮断は確実になるが、溶着部Ｍが連続することにより柔軟性が若干損なわれる。
【００７４】
また、図５（ｂ）及び（ｃ）に示すように、線状や点状の溶着部Ｍを任意のパターンで多数設けることも可能であり、例えば、千鳥状や、格子状（行列状）のような規則的なものだけでなく、不規則なパターンで設けることも可能である。図５（ｂ）及び（ｃ）に示す溶着部Ｍの配列パターンは、主接合領域Ｊの幅方向中央を境に一方側と他方側とが線対称をなしており、各側において、溶着部Ｍが前後方向に所定の間隔で並ぶ列が幅方向に所定の間隔で且つ隣接列の溶着部Ｍに対して前後方向位置がずれるように配置されているものである。この例は、主接合領域Ｊの幅方向中央には、前後方向と交差する溶着部を有しないパターンであるが、その両側の溶着部Ｍ，Ｍ間の間隔ＭＤが狭いため、十分な漏れ防止機能を有するものである。
【００７５】
溶着部Ｍの平面形状は、線状、円形、楕円形、小判形、笹葉形、多角形等、適宜の形状とすることができ、通常の場合、前後方向長さＭＬが１〜１０ｍｍ、特に１〜３ｍｍであり且つ幅方向長さＭＷが前後方向長さＭＬよりも短い細長形状（線状、楕円形、小判形、笹葉形）であるのが好ましい。個々の溶着部Ｍの面積は適宜定めることができるが、０．７〜４０ｍｍ2、特に１〜１５ｍｍ2であるのが好ましい。溶着部の面積が小さすぎるとトップシート３０の固定強度を確保し難くなり、また大きすぎると肌触りが硬くなる。また、溶着部Ｍが前後方向に所定の間隔で並ぶ列が幅方向に所定の間隔で設けられているパターンの場合、溶着部Ｍの列間隔ＭＤが広過ぎると漏れ防止性能が低下するため、０〜１０ｍｍ程度、特に２〜５ｍｍ程度とするのが好ましい。さらに、溶着部Ｍは、幅方向位置に応じて、形状、寸法、配置間隔を異ならしめることができる。
【００７６】
他方、製造に際しては、トップシート３０と中間シート４０とを重ね合わせた状態で、おむつの前後端部ＥＰ，ＥＰとなる部位に間欠的に、超音波溶着、ヒートシール、ヒートエンボス等の溶着加工を施した後、別途製造した吸収要素５０上に貼り付けるといった方法を採用することができる。
【００７７】
（トップシートの穿孔方法）
上記透過孔Ｈを有するトップシート３０は、透過孔形成部位を所定形状に打ち抜く方法や、複数の突起を備えた熱ローラーにより溶融しながら穿孔する方法（特表２００２−５１２９０９号）や、負圧をかけた開口コンベアにて吸引延伸熱処理により立体的なテーパーを形成しながら穿孔する方法（特許２８１２３４０号）や、透過孔形成位置に所定方向（前後方向や幅方向等）に沿うスリットを形成した後にシートをスリットと直交する方向に伸張させ、スリットを拡大させた状態で裏面側の部材（中間シート４０あるいは吸収要素５０）に固着する方法（特開平１１−２５３４９０号）により製造することができる。その中でも、透過孔形成位置に前後方向に沿うスリットを形成した後にシートを幅方向に伸張させ、スリットを拡大させて開口を形成したシートは、特に開口とその周辺において、熱処理により溶融固化して硬化することがなく、繊維間隔が広げられることにより、柔らかくかつ液透過性に優れる点で最も好ましい。ただし、スリット後伸張する方法により形成された開口は、おむつが撓むと開口の伸張が弛緩して閉じることがある。特に、トップシート３０の裏面側に便を保持する空間を広く確保するため、トップシート３０と裏面側の部材とをほぼ全幅において非固定とすると、おむつの撓みにより開口の伸張が弛緩して閉じやすくなる。逆に、シートのほぼ全面において固着すると、トップシート３０の裏面側に便を保持する空間が形成できない。そこで、幅方向に一定間隔をおいて固着する形態を取るのが好適である。前述の例では、シートのほぼ全幅に穿孔領域を設けるのではなく、非穿孔範囲とした左右の中間領域を設けているため、逆戻りによる臀部への排泄物の付着が防止できるだけでなく、この左右の中間領域（及びトップシート３０の両側部）を利用してトップシート３０と裏面側の部材を固着することにより、透過孔Ｈの開口状態を維持しつつ、トップシート３０を強固に固定することが可能となる。よって、透過孔Ｈ形成位置に前後方向に沿うスリットを形成した後にシートを幅方向に伸張させ、スリットを拡大させた状態で裏面側の部材に固着する方法と、各透過孔Ｈ又は透過孔群の幅方向両側に位置する無透過孔部分に前述の主接合部分を有する構造と、本発明の前後端部ＥＰ，ＥＰの溶着接合部７０とを組み合わせた、上記例のような形態をとるのが最も好ましい。
【産業上の利用可能性】
【００７８】
本発明は、使い捨ておむつに適用されるものである。
【図面の簡単な説明】
【００７９】
【図１】テープ式使い捨ておむつの展開状態平面図である。
【図２】図１の２−２線断面図である。
【図３】図１の３−３線断面図である。
【図４】要部拡大平面図である。
【図５】各種溶着パターンを示す要部拡大平面図である。
【図６】他の溶着領域の形状例を示す要部拡大平面図である。
【図７】他の形態の展開状態平面図である。
【図８】図７の８−８線断面図である。
【符号の説明】
【００８０】
１０…吸収性本体部、１１…液不透過性シート、１２…外装シート、３０…トップシート、３１…幅方向中央領域、３２…左側中間領域、右側中間領域、３３…左側領域、右側領域、３４…側縁部領域、４０…中間シート、５０…吸収要素、５２…繊維、５４…高吸収性ポリマー粒子、５６…吸収体、５８…包被シート、６０…バリヤーカフス、６４…バリヤーシート、７０…溶着接合部、８０…保持シート、Ｈ…透過孔。
【図１】
0005085356.tif 000002
【図２】
0005085356.tif 000003
【図３】
0005085356.tif 000004
【図４】
0005085356.tif 000005
【図５】
0005085356.tif 000006
【図６】
0005085356.tif 000007
【図７】
0005085356.tif 000008
【図８】
0005085356.tif 000009